(57)【特許請求の範囲】
【請求項１】
建物の外装材と該外装材と間隔を空けて建物の内側に設置される下地板との間に形成される通気間隙と、前記通気間隙と屋外とを連通する連通部とを有した建物の前記下地板に配設される壁体内換気器具であって、
一端において前記通気間隙に向かって開口する通気間隙側開口部を有し、他端において前記下地板の屋内側に前記通気間隙側開口部の開口方向と異なる方向に開口する屋内側開口部を有する前記下地板を貫通する管体部と、
前記管体部の外周面に外周形状が矩形となるように設けられ、前記下地板の通気間隙側面に当接し、且つ、外周縁から所定距離内側に段差を備えるフランジ部と、を備えることを特徴とする壁体内換気器具。
【請求項２】
前記管体部は、前記フランジ部から前記下地板の略厚み分の距離を開けた位置の管体部の外周面から突出して、前記フランジ部との間で前記下地板を挟み込む鍔を備えることを特徴とする請求項１に記載の壁体内換気器具。
【請求項３】
管体部の通気間隙側開口部は略水平方向に向かって開口し、管体部の屋内側開口部が上方に向かって開口することを特徴とする請求項１又は２の何れかに記載の壁体内換気器具。
【請求項４】
請求項１〜３の何れかに記載の壁体内換気器具を備えた建物換気構造。
【発明の詳細な説明】
【技術分野】
【０００１】
本発明は、建物に取付けられる壁体内換気器具、及び建物換気構造に関する。
【背景技術】
【０００２】
建物においては、小屋裏等の壁体内空間内の温度が低い場合等において、壁体内空間に湿気を含んだ空気が流入し滞留すると、小屋裏内部、外壁内側面等において結露が発生することがあるため、換気構造を設けることが必要である。その換気構造に使用される換気器具は、該建物の外装材に設けた換気口に配設するものが一般的である。
【０００３】
例えば、特許文献１に開示される換気器具は、上記の通り、建物の外壁等の外装材に設けた換気口の外側に設置されているので、建物の屋外から壁体内空間に雨水が侵入することを防止するための水返し板等を設けている。これにより、前記換気器具は、建物の壁体内空間の空気を屋外に流出させると共に、建物の屋外から壁体内空間への雨水の侵入を防止することができるとされている。
【先行技術文献】
【特許文献】
【０００４】
【特許文献１】特開２００１−２１１８８号公報
【発明の概要】
【発明が解決しようとする課題】
【０００５】
しかしながら、特許文献１に開示される換気器具は、上記の通り建物の外装材の屋外側に取付けるものである。そのため、建物の意匠性を低下させてしまうという問題点がある。また、前記換気器具が取付けられた外装材には、換気器具の周辺に、水垂れによる汚れが付着し易いという問題も発生する。
【０００６】
また、前記換気器具は、直接日光にさらされるために、外装材と同様の耐候性を有する材料により構成する必要があるため、コストが高くなるという問題点もある。更に、前記換気器具は、建物に取付ける場合に、外装材との間で防水性を持たせるための防水構造と、外装材より内側に配設される下地板との間で防水性を持たせる防水構造とを設ける必要があるため、施工時のコストも高くなる。また、前記換気器具は、建物に取付ける場合に、建物の梁に孔をあける必要があり、建物の構造の強度面で不利となるという問題点もある。この問題点は、建物が木造建築である場合に、特に顕在化する。
【０００７】
本発明は、上記のような課題を解決することを目的としてなされたものであり、建物の意匠性を低下させることなく、また梁に孔をあけることなく建物に取付けて使用することができ、低コスト化も可能とする壁体内換気器具、及びそれを用いた建物換気構造を提供することを目的とする。
【課題を解決するための手段】
【０００８】
上記目的を達成するために、請求項１の壁体内換気器具は、建物の外装材と該外装材と間隔を空けて建物の内側に設置される下地板との間に形成される通気間隙と、前記通気間隙と屋外とを連通する連通部とを有した建物の前記下地板に配設される壁体内換気器具であって、一端において前記通気間隙に向かって開口する通気間隙側開口部を有し、他端において前記下地板の屋内側に前記通気間隙側開口部の開口方向と異なる方向に開口する屋内側開口部を有する前記下地板を貫通する管体部と、前記管体部の外周面に外周形状が矩形となるように設けられ、前記下地板の通気間隙側面に当接し、且つ、外周縁から所定距離内側に段差を備えるフランジ部と、を備えることを特徴とする。
【００１０】
また、請求項２の壁体内換気器具は、前記管体部が、前記フランジ部から前記下地板の略厚み分の距離を開けた位置の管体部の外周面から突出して、前記フランジ部との間で前記下地板を挟み込む鍔を備えることを特徴とする。
【００１１】
また、請求項３の壁体内換気器具は、管体部の通気間隙側開口部が略水平方向に向かって開口し、管体部の屋内側開口部が上方に向かって開口することを特徴とする。
【００１２】
また、請求項４の建物換気構造は、請求項１〜３の何れかに記載の壁体内換気器具を備えることを特徴とする。
【発明の効果】
【００１３】
請求項１に記載の壁体内換気器具は、建物の外装材と該外装材と間隔を空けて建物の屋内側に設置される下地板に取付けられ、下地板を貫通する管体部と、該管体部の外周面に設けられて下地板の通気間隙側面に当接するフランジ部とを有する。本壁体内換気器具は、前記フランジ部を利用して前記下地板に取付けられ、前記管体部が建物の外装材と下地板の間に形成される通気間隙に開口する通気間隙側開口部と、下地板の屋内側に開口する屋内側開口部を有しており、通気間隙と下地板の屋内側とを連通する。これにより、本壁体内換気器具が配設された建物では、前記下地板の屋内側の空気を通気間隙に流入させることができ、その後連通部を介して屋外に流出させることが可能となるので、下地板の屋内側の換気が可能となる。本壁体内換気器具は、外装材に取付けることなく建物内に配設できるので、建物の意匠性の低下、水垂れによる外装材の汚損を発生させることがない。また本壁体内換気器具は、直接日光にさらされないので、耐候性を有する材料により構成する必要がなく、かつ、外装材との間で防水性を持たせる防水構造も不要となるので、コストを低減することもできる。また、本壁体内換気器具は、建物の梁に穴を開ける必要なく配設できるので、建物に構造面での不利も生じさせない。
【００１４】
更に、フランジ部の外周形状が矩形であることにより、その周囲四辺を防水テープにより直線状に前記下地板に貼り付けるだけで、該下地板に固定することができるので作業能率が向上する。また、フランジ部は、その外周縁から所定距離内側に段差を備えているので、該段差を目印として防水テープの貼付けを行うことができ、また、その後に下地板に貼り付けられる防水紙の不要な部分を、この段差を定規代わりに使用してカットできる。これらのことにより、本壁体内換気器具は、作業性良く、下地板に取付け施工することができる。
【００１５】
請求項２に記載の壁体内換気器具は、鍔を有していることにより、下地板に取付ける場合において、前記防水テープにより固定する前に、鍔と前記フランジ部との間に下地板の端縁部分を挟みこむことにより仮固定して、その後前記したように防水テープを使用して下地板に固定することができる。そのため、本壁体内換気器具は、一層作業性良く、下地板に取付けることができる。
【００１６】
請求項３に記載の壁体内換気器具は、前記通気間隙側開口部と前記屋内側開口部との開口方向が異なり、かつ、屋内側開口部が上方に向かって開口している。そのため、前記通気間隙を介して前記通気間隙側開口部に侵入した雨水は、管体部の内周面に衝突して水滴となり通気間隙側開口部から排出されるので、下地板の屋内側に侵入することを防ぐことができる。
【００１７】
請求項４に記載の建物換気構造は、外装材に換気器具を取付ける必要がないので、建物の意匠性の低下、水垂れによる外装材の汚損を発生させることがない。また、本建物換気構造は、建物の梁に穴を開ける必要がないので、建物に構造面での不利も生じさせない。  
【図面の簡単な説明】
【００１８】
【図１】本発明の実施形態の壁体内換気器具の斜視図。
【図２】図１のＡ−Ａ面における壁体内換気器具の断面図。
【図３】図２のＢ−Ｂ面における壁体内換気器具の断面図。
【図４】壁体内換気器具の下地板への取付手順を示す断面説明図。
【図５】壁体内換気器具の下地板への取付状態を示す正面図。
【図６】壁体内換気器具の下地板への取付手順を示す断面説明図。
【図７】壁体内換気器具の下地板への取付状態を示す正面図。
【図８】壁体内換気器具が配設された建物の断面図。
【発明を実施するための形態】
【００１９】
以下、図面を参照しつつ、本発明の実施の形態を説明する。本発明の壁体内換気器具１は、図１及び図８に示すように、建物外壁等の外装材７と該外装材７と間隔を空けて木造建物４の屋内側に設置される下地板５との間に形成される通気間隙８と、通気間隙８と屋外１１とを連通する貫通孔（連通部）３２とを有した木造建物４の前記下地板５に配設されるものであり、一端において通気間隙８に開口する通気間隙側開口部６を有し、他端において下地板５の屋内側に形成される中空部（壁体内空間）１０に開口する屋内側開口部９を有する下地板５を貫通する管体部２と、管体部２の外周面２ａに設けられ、下地板５の通気間隙側面２６ａに当接するフランジ部３を備えている。
【００２０】
前記管体部２は、屋外１１に露出しないので、ＡＢＳ樹脂等、耐候性が低く、かつ、安価な材料により形成することができる。また、図１及び図２に示すように、屈曲した管状に構成されており、一端には略水平方向に向かって半円状に開口した通気間隙側開口部６を有し、他端には上方に向かって矩形に開口した屋内側開口部９を有している。これにより、管体部２は通気間隙側開口部６と屋内側開口部９とが直線上に配置されず開口方向が異なり、また屋内側開口部９が上方に向かって開口していることから、壁体内換気器具１を図８に示すように下地板５に配設した際に、図１及び２に点線イで示したように、屋外１１から貫通孔３２を通って通気間隙８から通気間隙側開口部６に侵入した雨水Ｓは、管体部２の内周面に当たって屋内側開口部９を介して中空部１０に侵入することを防止される。なお、中空部１０内の空気は、図１及び２に実線ロで示したように管体部２に屋内側開口部９から流入し、通気間隙側開口部６から通気間隙８、貫通孔３２を通って屋外１１に流出する。
【００２１】
また、管体部２の屋内側開口部９の下方のフランジ部３を設けた側の内周面１２と、屋内側開口部９の下方のフランジ部３から遠い側の内周面１３とは、図２に示すように、夫々、略垂直に立ち上がった平面として構成され、さらに内周面１２と内周面１３とをつなぐ内周面１２ａ、１２ｂも、図３に示すように、略垂直に立ち上がった平面として構成されており、これらは、壁体内換気器具１を図８に示すように下地板５に配設した際に、通気間隙８を介して通気間隙側開口部６に侵入した雨水を規制する水返しとしても機能する。また、図２に示すように、内周面１３に管体部２の内部方向に起立して設けられた水返し１４は、該内周面１３を駆け上がろうとする雨水を規制する。
【００２２】
さらに、管体部２の通気間隙側開口部６に接する内周面のうち、上方側の内周面６ａは、平面状で前記内周面１２とつながっており、下方側の内周面６ｂは、円弧状の曲面で前記内周面１３とつながっている。そして、通気間隙８を介して通気間隙側開口部６に侵入した雨水が管体部２内に溜まらず、通気間隙側開口部６より自然に排出されるように、通気間隙側開口部６側から上り勾配の平面である傾斜面１５となっている。前記内周面６ｂと内周面１２ａとは、図３に示すように、管体部２の内部方向に起立して設けられた水返し１４ａを介して連なっており、同様に前記内周面６ｂと内周面１２ｂとは、管体部２の内部方向に起立して設けられた水返し１４ｂを介して連なっている。これらの水返し１４ａ、１４ｂは、内周面６ｂを駆け上がろうとする雨水を規制するためのものである。以上の構成により、壁体内換気器具１を図８に示すように下地板５に配設した際に、通気間隙８を通って管体部２の通気間隙側開口部６に侵入した雨水が、屋内側開口部９を介して中空部１０に侵入することを防ぐことができる。
【００２３】
また、管体部２の傾斜面１５の裏面側の外周面２ａには、フランジ部３から下地板５の厚み分の距離を開けた位置から下方に突出した鍔２４が形成されている。これによって、図６（ａ）に示すように、フランジ部３との間に下地板５の端縁部分を挟み込むことができるので、本壁体内換気器具１を下地板５へ仮固定することができる。
【００２４】
前記フランジ部３は、部品点数を削減し、壁体内換気器具１の製造原価のコストダウンを図るため、管体部２と一体に形成され、構成する材料も管体部２と同じものを用いるのが好ましい。また、フランジ部３は、図１に示すように、例えば、図示するような外周形状が略正方形状の矩形であり、フランジ部３の外周縁から所定距離内側は、段差１９が形成されている。即ち、フランジ部３の表面１６ｂにおいて、段差１９より外側の領域である外側領域１７と、該段差１９より内側の領域である内側領域１８とは、何れか一方が、他方に対し隆起している。図２では、外側領域１７が内側領域１８に対し隆起しているように示しているが、内側領域１８が外側領域１７に対し隆起していてもよい。前記段差１９は、図５に示すように、本壁体内換気器具１を下地板５に固定する際に、防水テープ２０を貼り付ける目印として使用され、また、図６（ｂ）に示すように本壁体内換気器具１を下地板５に防水テープ２０により固定した後、更に防水紙２１を貼り付け後に、該防水紙２１の不要な部分をカッター２２によりカットする際に、該カッター２２をガイドする定規の代わりとしとしても使用される。また、図１に示すように、フランジ部３の表面１６ｂの外側領域１７には、該壁体内換気器具１の上下を、図外の作業者が視覚又は触覚を通じて感知できるように凹凸形状を有した識別マーク２３が設けられている。なお、この識別マーク２３は、図中において「上」と表示しているが、これに限定されず、壁体内換気器具１の上下を作業者が識別可能なものであればよい。
【００２５】
上記のように構成される壁体内換気器具１は、図８に示すように木造建物４の下地板５に配設されるが、以下では、この壁体内換気器具１の下地板５への配設手順について説明する。まず、下地板５には、図４（ａ）に示すように、壁体内換気器具１を取付けるための貫通孔２５があらかじめ設けられている。壁体内換気器具１は、下地板５の通気間隙側面２６ａと、フランジ部３の裏面１６ａとが対向した状態で、前記貫通孔２５に管体部２が挿入される。この際、壁体内換気器具１には、識別マーク２３が設けられているので、作業者は、視覚又は触覚を通じて、容易にその上下を判別して作業を行うことができる。また、貫通孔２５の開口径は、管体部２に設けられている鍔２４を含めて挿入できる大きさに開口されている。
【００２６】
次に、図４（ｂ）に示すように、壁体内換気器具１は、フランジ部３の裏面１６ａが、下地板５の通気間隙側面２６ａと当接するまで挿入した時点で、下方に押さえ込こまれる。これにより、フランジ部３と鍔２４との間には、下地板５が挟み込まれ、壁体内換気器具１の下地板５への仮固定は、完了する。
【００２７】
次に、図５に示すように、壁体内換気器具１は、フランジ部３の周囲四辺を防水テープ２０により、下地板５の通気間隙側面２６ａに貼付けて固定される。これにより、壁体内換気器具１は、フランジ部３と下地板５との隙間に防水性を有して固定される。この際、作業者は、段差１９を目印として防水テープ２０を貼り付けることができので、作業性良く該作業を行うことができる。また、作業者は、フランジ部３が矩形であることにより、同図に示すように一般的な直線状の防水テープ２０をカットして使用することができ、或いは、フランジ部３の形状にあわせて矩形の枠型に予め裁断した図外の防水テープを使用することもでき、いずれの場合においても簡便に当該作業を行うことができる。
【００２８】
次に、図６（ａ）に示すように、下地板５には、防水性をより高める防水紙２１が通気間隙側面２６ａを覆うように取付けられる。これにより、管体部２の通気間隙側開口部６は、防水紙２１により閉塞された状態となる。
【００２９】
次に、図６（ｂ）に示すように、防水紙２１の管体部２の通気間隙側開口部６を閉塞する部分は、カッター２２を用いてカットされる。この際、作業者は、防水紙２１を下地板５に押さえつけつつ、壁体内換気器具１の段差１９が配設されている位置を探索した上で、カッター２２を段差１９に定規代わりに当接させつつ防水紙２１をカットする。これにより、該防水紙２１の管体部２の通気間隙側開口部６を閉塞する部分は、図７に示すように除去される。
【００３０】
以上のように下地板５に取付けることができる壁体内換気器具１は、例えば図８に示す木造建物４に適用することができる。この木造建物４の上方には、陸屋根２７の床仕上げ材２８の端部横から立設した平板状であり、かつ、陸屋根２７をルーフバルコニーとした際には図外の外装材がその屋外１１側に配設される外側下地板２９と、該外側下地板２９と平行に配設した平板状の下地板５とを備えたパラペット３０を有している。下地板５の裏面２６ｂと、外側下地板２９との間には、中空部１０がその上端において下地木３１により密封された状態で形成されている。また、パラペット３０は、下地板５の通気間隙側面２６ａ側に、該下地板５から通気間隙８を開けて、木造建物４の外壁である平板状の外壁等の外装材７が配設されている。前記下地板５には、上記説明した手順により、壁体内換気器具１が配設されており、該壁体内換気器具１により、中空部１０と通気間隙８とは連通される。また、パラペット３０の上端には、通気間隙８と屋外１１とを連通する貫通孔（連通部）３２が設けられた側面視略コの字型の水切３３が取付けられており、その更に上方に側面視略コの字型の笠木３４が配設されている。
【００３１】
また、木造建物４は、陸屋根２７の床板でもある平板状の天面３５と、平板状の石膏ボードである床板３６により構成される空間である小屋裏（壁体内空間）３７を有している。この小屋裏３７内には、パラペット３０を支持する梁３８が、パラペット３０の下端に架設されている。また、小屋裏３７内には、天面３５を支持すると共に、一端が床板３６に接続されている補強支持用の固定部材３９の他端側に支持されている小屋梁４０が架設されている。また、床板３６上には、梁３８、及び小屋梁４０に当接する嵩だかを有する断熱材４１が敷設されている。
【００３２】
小屋裏３７の天面３５には、小屋梁４０と当接する部分を切欠いて、小屋梁４０の上方に通気経路を形成する切欠４２と、梁３８当接する部分をまたいで、小屋裏３７と前記中空部１０とを連通する切欠４３とが設けられている。
【００３３】
以上のような構成を有する木造建物４における小屋裏３７の換気は次のようにして行われる。すなわち、切欠４３を通って中空部１０に流れ込んだ小屋裏３７内の空気は、下地板５に配設した壁体内換気器具１内を通って中空部１０から通気間隙８へと流れ、その後貫通孔３２を通って屋外１１に流れ出る。即ち、木造建物４において、壁体内換気器具１は、木造建物４の外装材７の裏面側にある下地板５に配設されるため、屋外１１に露出することがない。そのため、壁体内換気器具１は、外装材７に配設される従来の換気器具と異なり、木造建物４の意匠性を低下させることなく、該外装材７を汚損することもない。
【００３４】
また、壁体内換気器具１は、防水テープ２０、防水紙２１による防水構造を、下地板５に設けるだけでよいので、前記従来の換気器具と比べ、施工時のコストを低減できる。また、壁体内換気器具１を配設するためには、梁３８に孔を開ける必要もなく、木造建物４の構造面でも有利となる。
【００３５】
また、壁体内換気器具１は、管体部２の通気間隙側開口部６より侵入する雨水が、通気間隙８を通過したものに限られることにより僅かな量となることにより、該雨水が中空部１０に管体部２の屋内側開口部９より侵入することを防ぐ構造を、前記従来の換気器具に比べ単純化できること、及び、直接日光にさらされることがないことに基づき、耐候性を考慮する必要がないので、安価であるＡＢＳ樹脂等により構成することができることにより、それ自身のコストも低減することができる。
【００３６】
なお、本実施の形態で示した壁体内換気器具１は、本発明に係る壁体内換気器具の一態様にすぎず、本発明の要旨を逸脱しない範囲内で種々の変形実施が可能である。
【産業上の利用可能性】
【００３７】
本発明に係る壁体内換気器具１は、下地板５と、下地板５の裏面２６ｂ側に形成された中空部（壁体内空間）１０と、下地板５の通気間隙側面２６ａと、外装材７との間に形成される通気間隙８と、通気間隙８と屋外１１とを連通する貫通孔３２とを備える建物であれば、例えば鉄筋コンクリート建物、陸屋根以外の形状の屋根を有した建物にも適用することができる。
【符号の説明】
【００３８】
１  壁体内換気器具
２  管体部
２ａ  外周面
３  フランジ部
４  木造建物
５  下地板
６  通気間隙側開口部
６ｂ  内周面
７  外装材
８  通気間隙
９  屋内側開口部
１１  屋外
１４  水返し
１５  傾斜面
２４  鍔
１９  段差
２６ａ  通気間隙側面
３２  貫通孔（連通部）
【図１】
0005424043.tif 000002
【図２】
0005424043.tif 000003
【図３】
0005424043.tif 000004
【図４】
0005424043.tif 000005
【図５】
0005424043.tif 000006
【図６】
0005424043.tif 000007
【図７】
0005424043.tif 000008
【図８】
0005424043.tif 000009